(57)【要約】【課題】本発明は、特に観光客の再訪及び名所旧跡のある観光地全体への波及効果を促進して観光地を活性化することのできるカード式音声案内システム及び該カード式音声案内システムを利用した観光開発システムを提供することを課題とする。【解決手段】本発明は上記課題を達成するために、カード式音声案内システムとして観光地で多目的に使用されるカードと、該カードを用いることで各種の案内を音声で発声する音声発生装置とから構成されていることであり、カード式音声案内システムを利用した観光開発システムとして、名所旧跡のある観光地内等でカードを購入し、該カードを用いて観光地内の名所旧跡にそれぞれ設けられた音声発生装置を通して自在に各種の案内を音声で聞とことができるとともに、観光地内の宿泊施設、売店（お土産屋）等の各種利用施設で割引等の特典を受けることで、名所旧跡のある観光地全域の新たな開発を行うことである。【選択図】図１
2006065832.tif 000002
【特許請求の範囲】
【請求項１】
観光地内の各種利用施設で多目的に使用されるカードと、該カードを用いることで名所旧跡の各種の案内を音声で発声する音声発生装置とから構成されていることを特徴とするカード式音声案内システム。
【請求項２】
前記カードが言語別に区分され、且つ表裏それぞれ別の目的で使用すべく構成されている請求項１に記載のカード式音声案内システム。
【請求項３】
名所旧跡のある観光地内等で言語別カードを購入し、該カードを用いて観光地内の名所旧跡にそれぞれ設けられた音声発生装置を通して言語別各種の案内及びカードの表裏を利用して他の情報を音声で聞とことができるとともに、観光地内の各種利用施設で割引等の特典を受けることで、名所旧跡のある観光地全域の新たな開発を行うことを特徴とするカード式音声案内システムを利用した観光開発システム。
【発明の詳細な説明】
【技術分野】
【０００１】本発明は、世界遺産等の観光地の名所旧跡に設置し、その名所旧跡の説明、歴史等を音声で案内する音声案内装置に関し、特に観光地内で多目的に使用することのできるカードを併用して、名所旧跡の音声案内を聞くことのできるカード式音声案内システム及び該カード式音声案内システムを利用した観光開発ビジネスに関するものである。
【背景技術】
【０００２】従来、観光地の名所旧跡においては、観光案内所でその名所旧跡の案内説明（由来、歴史等）を聞くか、観光案内所等で手渡されるパンフレットを見て、又はインターネットを利用してそこに記載されている情報を基にして名所旧跡の情報を間接的に入手して理解するか、人（ガイド人）により名所旧跡を周りながら直接的な説明を聞いて理解する方法が一般的に取られていた。【０００３】しかし、上記パンフレット等による間接的に情報を入手する方法では、実際の名所旧跡を前にして直接聞くことができないために、観光客にとって名所旧跡における実感がわきにくいという欠点があった。また、人による直接的な情報を入手する方法は、ガイドの人数の問題もあり多数の観光客に対してはメリットがあるものの一人等の少ない観光客それぞれに対応することができない欠点があった。【０００４】そこで、無人で対応することのできる音声発生装置が考えられた。前記音声発生装置を大別すると、名所旧跡にそれぞれ設置されボタンを押すことで単純な案内が聞くことができる固定式の装置や、多くの音声案内情報の蓄積された再生機を主として構成され名所旧跡の付近で所定のチャンネルを合わすことで蓄積された情報を再生機より音声として再生する持ち運び式の装置がある。
【発明の開示】
【発明が解決しようとする課題】
【０００５】しかしながら、上記音声案内装置にはそれぞれ下記のような問題点があった。
固定式の装置の場合は、一般に無料で音声案内を聞くことができるものが多く一人旅等少人数の場合は、非常に便利に使用することができるものの、固定式の装置の場は、メンテナンス等の手間をできるだけ省く必要があるために案内の内容が一律で短く単純なものばかりとなり、観光客にとってそれぞれの名所旧跡で繰り返して聞く程の内容ではなかった。また、持ち運び式の装置の場合は、複雑な音声案内を蓄積することができるために、それぞれの名所旧跡で観光客を満足させることはできるものの、旅先での自分の荷物以外に装置を持ち運びするのは非常に不便である他、装置に装備されているイヤホーンの清掃、電池の交換等そのメンテナンスが必要であり、このため維持費用がかかることとなる。【０００６】また、観光地の名所旧跡を訪れる観光客は、日本国内に限定されるものでなく各国から訪問するため、音声案内も種々の言語が必要であるが、現状では英語以外に十分に対応することができないという欠点があった。【０００７】さらに大きな問題点は、上記のような音声案内を聞くだけでは、観光地の名所旧跡を訪れた観光客に再訪したいと意識させる手段がなく、また観光客への広告的要素もないために、観光地の一番の目的である地域の活性化という目的を達成することができない。【０００８】そこで、本発明は、上記課題を解決することを目標とし、特に観光客の再訪及び名所旧跡のある観光地全体への波及効果を促進して観光地を活性化することのできるカード式音声案内システム及び該カード式音声案内システムを利用した観光開発システムを提供することを目的とする。
【課題を解決するための手段】
【０００９】そして、本発明は上記目的を達成するために、観光地内の各種利用施設で多目的に使用されるカードと、該カードを用いることで名所旧跡の各種の案内を音声で発声する音声発生装置とから構成されていることを特徴とする。【００１０】また、カードが言語別に区分され、且つ表裏それぞれ別の目的で使用すべく構成されていることである。【００１１】また、カード式音声案内システムを利用した観光開発システムとして、名所旧跡のある観光地内等で言語別カードを購入し、該カードを用いて観光地内の名所旧跡にそれぞれ設けられた音声発生装置を通して言語別各種の案内及びカードの表裏を利用して他の情報を音声で聞とことができるとともに、観光地内の各種利用施設で割引等の特典を受けることで、名所旧跡のある観光地全域の新たな開発を行うことを特徴とする。
【発明の作用及び効果】
【００１２】そして、本発明の作用は、名所旧跡のある観光地を訪問した観光客は、観光地内のあらゆる施設（宿泊、売店等）等で所定（言語別）のカードを購入することができ、該カードを使用することで観光地内の名所旧跡にそれぞれ設けられた音声発生装置を通して言語別の各種の案内を音声で聞くことができる。
この際、カードの表裏を利用して、例えば、カードを表側で音声発生装置に通すと名所旧跡のある観光地の案内情報を聞くことができ、カードを裏側で音声発生装置に通すと名所旧跡のある観光地の他の情報を聞くことができるように構成することも可能である。
【００１３】また、観光客が宿泊施設、売店を利用する場合は、前記カードを使用することにより、割引等の特典を受けることができ、さらに観光地内の新たな情報を受けることもできる。
【００１４】このため、観光客は一人旅等少人数の場合であっても、安心して名所旧跡のある観光地を訪問することができ、また、観光地内の各種の情報を容易に得ることができる他、あらゆる施設等で特典を得ることができるので、観光地を十分に堪能することができる。
【００１５】また、カードで得た観光地としての各種の情報は、観光客を通して他の観光客への広告的機能となり、新たな利用を促進することとなる。また、あらゆる施設等での特典はそれぞれの観光客が持ち帰ったカードで再認識されることなり、該カードの再利用（本人、又は第三者等の観光地の訪問）を図ることを可能とする。
【００１６】また、観光客が購入するカードの費用（特に、言語別にカードを分類することでより多くのカードを販売することができる）により、音声発生装置等のメンテナンス費用等を十分に補うことができる。
【００１７】このように、本発明のカード式音声案内システム及び該カード式音声案内システムを利用した観光開発システムを利用することにより、音声案内を多機能にわたり対応することができるので観光客の要求に十分に対応することができる他、観光地を十分に堪能することができるために、観光客の再訪及び名所旧跡のある観光地全体への波及効果を促進することが可能となる。
【図面の簡単な説明】
【００１８】
【図１】は、本発明の一実施例であるカード式音声案内システムの概要を示す概略説明図
【図２】は、カード式音声案内システムを利用した観光開発システムを示す概略フローチャートである。
【図３】は、カード式音声案内システムを利用した観光開発システムの他の実施例を示す概略フローチャートである。
【発明の好ましい実施の形態】
【００１９】以下、本発明のカード式音声案内システムを図面を用いて詳細に説明する。
【００２０】図１は、本発明の一実施例であるカード式音声案内システムの概要を示す概略説明図であり、図２はカード式音声案内システムを利用した観光開発システムを示す概略フローチャートであり、図３はカード式音声案内システムを利用した観光開発システムの他の実施例を示す概略フローチャートである。
【００２１】先ずカード式音声案内システム１について説明する。カード式音声案内システム１は、二次元コード等の情報の設けられたカード２と、該カード２を挿入することで音声の発生する音声発生装置３とから構成されている。
【００２２】前記音声発生装置３は、カード２を挿入することで該カード２に設けられた二次元コード等の情報を認識する挿入口４と、蓄積された情報（複数の情報例えば、旧跡案内、民話、民謡等、複数の言語例えば、日本語、英語、韓国中国語、スペイン語、イタリア語、フランス語等で）を記録する記録機能５と、前記カード２挿入で記録機能５に蓄積された所望の情報を音声に変換する変換機構６と、変換機構６により音声に変換された情報を発声するスピーカー部７とから構成されている。
尚、発声する言語は、その観光地を訪問する観光客に応じて、決定されるものであるが、通常、日本語、英語、韓国語、中国語、フランス語等がボタン操作で選択可能に構成されている。
【００２３】前記カード２は、観光地内のあらゆる施設（例えばホテル等の宿泊施設、おみやげ等の売店、食事を提供する各店、又は駅の売店等）で購入することが可能である。尚、近隣の観光地が一体となり、同一のカード２を利用することにより、観光客を各観光地に順に案内することも可能である。
【００２４】上記構成からなるカード式音声案内システムを利用した観光開発システムについて説明する。
【００２５】先ず、カード２を使用する観光地の範囲を決定する。例えば、県内に複数の観光地が点在している場合は、県内の各観光地のそれぞれの施設にカードをおいてもらう。この際、カードの価格については観光客が利用し易い価格体系を決定しておく。
【００２６】次に、それぞれの観光地にある名所旧跡にそれぞれ必要な情報を録音した音声発生装置３を設置する。尚、必要に応じて、駅等の観光客が頻繁に利用する場所に、観光地全体の案内情報（例えば、名所旧跡の場所、温泉施設、特産の案内、食事処等）が聞ける音声発生装置３を設置する。
【００２７】観光客が所望の観光地Ａを訪れると、先ず観光客は任意の施設でカード２を購入（観光客の数が一人或いは多数にかかわらずそれぞれの観光客が１枚づつ購入）する。そして、各観光客は予定したルートに従って、又は独自のルートで各名所旧跡、各施設を訪問する。この際、例えば、駅前等の繁華街に設置した音声発生装置３を利用する方法が考えられる。即ち、カード２を音声発生装置３の挿入口４に挿入してそれぞれの名所旧跡の案内情報を得ることで、観光ルートを設定の手助けとすることができる他、各施設の情報を得ることも可能である。また、他の観光地Ｂ、観光地Ｃ等の情報も得ることが可能であり、次回の観光の資料とすることができる。
【００２８】名所旧跡に来た観光客は、それぞれのカード２を音声発生装置３の挿入口４に挿入して所望の案内情報を選択し、言語を選択することで、音声による案内情報を聞くことができる。案内情報を聞いた後、カード２を取り出して、、次の名所旧跡に移動して同様に音声発生装置３で次の名所旧跡の案内情報を聞くことができる。途中で食事をする際は、食事処でカード２を提示することで割引された金額で食事をすることができる他、他の一品の提供を受ける等の特典を得ることが可能である。
【００２９】観光客は観光を終えた後、宿泊施設を利用する際も、カード２を提示することで宿泊費用の割引等の特典を得ることができる。また、温泉等の施設を利用する場合も同様にカード２を提示することで種々の特典を得ることができる。
【００３０】このように、観光客はカード２を利用することで、各名所旧跡の案内情報を容易に得ることができる他、観光地の施設の情報を得ることができる。また、名所旧跡の情報、あらゆる施設等での特典、他の観光地の情報等はそれぞれの観光客が持ち帰ったカードで再認識されることなり、該カードによる再利用（同一観光地への再訪、近隣観光地への訪問、情報を得た第三者の訪問等）を図ることを可能とする。
【００３１】観光地にとっては、各施設で観光客がカードを購入することで、音声発生装置３のメンテナンス等における費用を得ることができる他、観光客が音声発生装置を利用して得た情報で各施設を利用することができるとともに、カードを利用しての観光客の再訪の可能にすることができ、さらに観光地の広告機能を拡大することが可能となり等観光地の活性化を図ることができる。
【００３２】さらに、同一のカードを利用する近隣の観光地との提携を図ることでさらに観光客の誘致をはかり活性化をはかることができる。
【００３３】上記実施例では、カード式音声案内システムを二次元コード等の情報の設けられたカード２を音声発生装置３に通して音声発生装置３より言語を選択し及び情報を選択するように構成したが、本発明のカード式音声案内システムはこれに限定されるものでなく、例えば、言語（日本語、英語、韓国語、中国語、スペイン語、イタリア語、フランス語等）別で表裏を別々に利用可能なカード２を用いることにより、音声発生装置３に該カード２を表面を上にして挿入するとカード２で指定された言語で観光地の名所旧跡の案内を聞くことができ、またカード２を裏面にして音声発生装置３に挿入するとカード２で指定された言語で観光地の他の情報を聞くことができるように構成することで、カード２の販売量を増やすことができるように、また、カード２により言語が決定及びカード２の表裏を利用することにで情報が決定されることで、音声発生装置３の仕様を簡易にすることができ、その結果メンテナンス等の省略が可能となる。
【図１】
2006065832.tif 000003
【図２】
2006065832.tif 000004
【図３】
2006065832.tif 000005